(57)【要約】  本発明のユーザ端末（２０）は、下りリンク制御信号と下りリンクデータ信号を含む下りリンク信号を無線基地局（１０）から受信し、下りリンク制御信号を用いて下りリンクデータ信号を復調および復号し、複数の送信可能領域の中から下りリンク制御信号に含まれるインデックス情報によって指定された送信領域に、下りリンクデータ信号の復号結果を示す応答信号をマッピングし、応答信号を含む上りリンク制御信号を送信する。
2019043800.tif 000002
【特許請求の範囲】
【請求項１】
下りリンク制御信号と下りリンクデータ信号を含む下りリンク信号を無線基地局から受信する受信部と、
前記下りリンク制御信号を用いて前記下りリンクデータ信号を復調および復号する復調復号部と、
複数の送信可能領域の中から前記下りリンク制御信号に含まれるインデックス情報によって指定された送信領域に、前記下りリンクデータ信号の復号結果を示す応答信号をマッピングするマッピング部と、
前記応答信号を含む上りリンク制御信号を送信する送信部と、
を具備する、
ユーザ端末。
【請求項２】
前記複数の送信可能領域は、複数のユーザ端末において共通な配置パターンに従ってリソースに配置されている、
請求項１に記載のユーザ端末。
【請求項３】
前記複数の送信可能領域は、ユーザ端末毎に個別に設定される配置パターンに従ってリソースに配置されており、
前記配置パターンを示す情報は、前記無線基地局から通知される、
請求項１に記載のユーザ端末。
【請求項４】
前記複数の送信可能領域は、ユーザ端末毎に個別に設定される配置パターンに従ってリソースに配置されており、
前記配置パターンは、上りリンク送信信号情報、下りリンク送信信号情報、上りリンク品質情報、下りリンク品質情報の少なくとも１つの情報と対応付けられており、
前記マッピング部は、前記ユーザ端末の前記情報に基づいて前記配置パターンを特定する、
請求項１に記載のユーザ端末。
【請求項５】
前記送信可能領域は、複数の周波数帯において規定されている、
請求項１に記載のユーザ端末。
【請求項６】
下りリンク制御信号と下りリンクデータ信号を含む下りリンク信号を無線基地局から受信し、
前記下りリンク制御信号を用いて前記下りリンクデータ信号を復調および復号し、
複数の送信可能領域の中から前記下りリンク制御信号に含まれるインデックス情報によって指定された送信領域に、前記下りリンクデータ信号の復号結果を示す応答信号をマッピングし、
前記応答信号を含む上りリンク制御信号を送信する、
無線通信方法。
【発明の詳細な説明】
【技術分野】
【０００１】
本発明は、ユーザ端末及び無線通信方法に関する。
【背景技術】
【０００２】
ＵＭＴＳ（Universal Mobile Telecommunication System）ネットワークにおいて、更なる高速データレート、低遅延などを目的としてロングタームエボリューション（ＬＴＥ：Long Term Evolution）が仕様化された（非特許文献１）。また、ＬＴＥからの更なる広帯域化および高速化を目的として、ＬＴＥの後継システムも検討されている。ＬＴＥの後継システムには、例えば、ＬＴＥ−Ａ（LTE-Advanced）、ＦＲＡ（Future Radio Access）、５Ｇ（5th generation mobile communication system）、５Ｇ＋（5G plus）、Ｎｅｗ−ＲＡＴ（Radio Access Technology）などと呼ばれるものがある。【０００３】
ＬＴＥの仕様では、下りリンクの通信方式としてＯＦＤＭ（Orthogonal Frequency Division Multiplexing）が採用されている。ＯＦＤＭの場合、１４シンボルで構成されるリソースブロックにおいて、１シンボル毎に、制御信号を含む物理制御チャネル（例えば、ＰＤＣＣＨ：Physical Downlink Control Channel）とデータ信号を含む物理データチャネル（例えば、ＰＤＳＣＨ：Physical Downlink Shared Channel）の領域が規定されている（非特許文献２、３）。【０００４】
次世代移動通信システムでは、ＰＡＰＲ（Peak to Average Power Ratio）を小さくすることが望まれる。したがって、５Ｇでは、下りリンクの通信方式として、ＰＡＰＲが小さいシングルキャリア伝送方式が採用される可能性がある。シングルキャリア伝送方式の場合、時間領域において信号がマッピングされるため、ＯＦＤＭの１シンボル毎に物理制御チャネルおよび物理データチャネルを規定する必要はなく、柔軟に設定することができる。また、シングルキャリア伝送方式では、下りリンク信号に含まれるデータ信号の復号結果をユーザ端末がフィードバックする上りリンクの物理制御チャネル（例えば、ＰＵＣＣＨ：Physical Uplink Control Channel）も柔軟に設定することができる。
【先行技術文献】
【非特許文献】
【０００５】
【非特許文献１】3GPP TS 36.300 v14.3.0, “Evolved Universal Terrestrial Radio Access (E-UTRA) and Evolved Universal Terrestrial Radio Access Network (E-UTRAN); Overall description; Stage 2 (Release 14),” June 2017
【非特許文献２】3GPP TS 36.211 v14.2.0, “Evolved Universal Terrestrial Radio Access (E-UTRA); Physical channels and modulation (Release 14),” March 2017
【非特許文献３】3GPP TS 36.213 v14.2.0, “Evolved Universal Terrestrial Radio Access (E-UTRA); Physical layer procedures (Release 14),” March 2017
【発明の概要】
【発明が解決しようとする課題】
【０００６】
しかしながら、上りリンクの物理制御チャネルの具体的な設定方法については検討されていない。【０００７】
本発明の一態様は、上りリンクの物理制御チャネルを柔軟に設定することができるユーザ端末及び無線通信方法を提供することを目的の一つとする。
【課題を解決するための手段】
【０００８】
本発明の一態様に係るユーザ端末は、下りリンク制御信号と下りリンクデータ信号を含む下りリンク信号を無線基地局から受信する受信部と、前記下りリンク制御信号を用いて前記下りリンクデータ信号を復調および復号する復調復号部と、複数の送信可能領域の中から前記下りリンク制御信号に含まれるインデックス情報によって指定された送信領域に、前記下りリンクデータ信号の復号結果を示す応答信号をマッピングするマッピング部と、前記応答信号を含む上りリンク制御信号を送信する送信部と、を具備する。
【発明の効果】
【０００９】
本発明の一態様によれば、上りリンクの物理制御チャネルを柔軟に設定することができる。
【図面の簡単な説明】
【００１０】
【図１】本発明の一実施の形態に係る無線基地局の全体構成の一例を示すブロック図である。
【図２】本発明の一実施の形態に係るユーザ端末の全体構成の一例を示すブロック図である。
【図３】無線基地局の送信信号およびユーザ端末の送信信号の一例を示す図である。
【図４】本発明の一実施の形態の第１の構成例に係る無線基地局の送信信号およびユーザ端末の送信信号の一例を示す図である。
【図５】本発明の一実施の形態の第１の構成例における送信可能領域パターンの第１の例を示す図である。
【図６】本発明の一実施の形態の第１の構成例における送信可能領域パターンの第２の例を示す図である。
【図７】本発明の一実施の形態の第１の構成例におけるＰＵＣＣＨの送信領域の通知方法の一例を示す図である。
【図８】本発明の一実施の形態の第２の構成例に係る無線基地局の送信信号およびユーザ端末の送信信号の一例を示す図である。
【図９】本発明の一実施の形態の第３の構成例に係る無線基地局の送信信号およびユーザ端末の送信信号の一例を示す図である。
【図１０】本発明の一実施の形態に係る無線基地局及びユーザ端末のハードウェア構成の一例を示す図である。
【発明を実施するための形態】
【００１１】
以下、本発明の一実施の形態について、図面を参照して詳細に説明する。
【００１２】
（一実施の形態）
本実施の形態に係る無線通信システムは、少なくとも、図１に示す無線基地局１０、及び、図２に示すユーザ端末２０（例えば、ＵＥ（User Equipment）とも呼ばれる）を備える。ユーザ端末２０は、無線基地局１０に接続している。
【００１３】
無線基地局１０は、ユーザ端末２０に対して、下りリンク（ＤＬ：Downlink）の物理制御チャネル（例えば、ＰＤＣＣＨ：Physical Downlink Control Channel）を用いて、下り制御情報（例えば、ＤＣＩ：Downlink Control Information）を含むＤＬ制御信号を送信し、ＤＬの物理データチャネル（例えば、下り共有チャネル：ＰＤＳＣＨ：Physical Downlink Shared Channel）を用いてＤＬデータ信号及びＤＬデータ信号を復調するための復調用参照信号（Demodulation Reference Signal、以下、ＤＭＲＳ）を送信する。
【００１４】
また、ユーザ端末２０は、無線基地局１０に対して、上りリンク（ＵＬ：Uplink）の物理制御チャネル（例えば、ＰＵＣＣＨ：Physical Uplink Control Channel）もしくはＵＬの物理データチャネル（例えば、上り共有チャネル：ＰＵＳＣＨ：Physical Uplink Shared Channel）を用いて、上り制御情報（例えば、ＵＣＩ：Uplink Control Information）を含むＵＬ制御信号を送信し、ＵＬの物理データチャネル（例えば、上り共有チャネル：ＰＵＳＣＨ：Physical Uplink Shared Channel）を用いてＵＬデータ信号及びＤＭＲＳを送信する。
【００１５】
なお、無線基地局１０及びユーザ端末２０が送受信するＤＬのチャネル及びＵＬのチャネルは、上記のＰＤＣＣＨ、ＰＤＳＣＨ、ＰＵＣＣＨ、ＰＵＳＣＨ等に限定されず、例えば、ＰＢＣＨ（Physical Broadcast Channel）、ＲＡＣＨ（Random Access Channel）等の他のチャネルでもよい。
【００１６】
また、本実施の形態では、無線基地局１０とユーザ端末２０との間の通信は、高周波数帯（例えば、７０ＧＨｚ帯）においてシングルキャリアを用いる例を説明する。本発明は、例えば、シングルキャリアの方式として、ＤＦＴ−Ｓ−ＯＦＤＭ（DFT(Discrete Fourier Transform)-Spread-OFDM(Orthogonal Frequency Division Multiplexing)））であっても良い。あるいは、無線基地局１０とユーザ端末２０との間の通信は、マルチキャリアの方式であっても良い。また、本発明は、周波数帯についても特に限定されず、例えば、数十ＧＨｚ程度の周波数帯であっても良い。
【００１７】
＜無線基地局＞
図１は、本実施の形態に係る無線基地局１０の全体構成の一例を示すブロック図である。図１に示す無線基地局１０は、スケジューラ１０１と、送信信号生成部１０２と、符号化・変調部１０３と、マッピング部１０４と、送信部１０５と、アンテナ１０６と、受信部１０７と、制御部１０８と、チャネル推定部１０９と、復調・復号部１１０と、を含む構成を採る。
【００１８】
スケジューラ１０１は、ＤＬ信号（ＤＬデータ信号、ＤＬ制御信号及びＤＭＲＳ等）のスケジューリング（例えば、リソース割当）を行う。また、スケジューラ１０１は、ＵＬ信号（ＵＬデータ信号、ＵＬ制御信号及びＤＭＲＳ等）のスケジューリング（例えば、リソース割当）を行う。
【００１９】
無線基地局１０とユーザ端末２０との間の通信がシングルキャリアを用いて行われる場合、スケジューラ１０１は、シングルキャリアの時間領域（時間方向）の無線リソースに対して各信号を割り当てるスケジューリングを行う。
【００２０】
スケジューリングにおいて、スケジューラ１０１は、ＤＬの物理制御チャネルの送信領域と、ＤＬの物理データチャネルの送信領域を設定する。そして、スケジューラ１０１は、各送信領域において、ＤＬ信号のスケジューリングを行う。
【００２１】
また、スケジューラ１０１は、少なくとも、ＵＬの物理制御チャネルの受信領域（ユーザ端末２０におけるＵＬの物理制御チャネルの送信領域）を設定する。
【００２２】
なお、スケジューラ１０１は、ＵＬの物理データチャネルの受信領域を設定しても良い。この場合、スケジューラ１０１は、設定した各受信領域において、ＵＬ信号のスケジューリングを行う。
【００２３】
なお、スケジューラ１０１において設定される、ＤＬの物理制御チャネルおよび物理データチャネル、ならびに、ＵＬの物理制御チャネルの構成の具体例については後述する。
【００２４】
スケジューラ１０１は、リソース割当の情報を含むスケジューリング情報を送信信号生成部１０２及びマッピング部１０４に出力する。
【００２５】
また、スケジューラ１０１は、後述する復調・復号部１１０から入力されるＤＬデータ信号の復号結果を示す信号に基づき、ＤＬデータ信号の再送制御を行う。例えば、スケジューラ１０１は、ＤＬデータ信号の復号結果に誤りがある場合、送信信号生成部１０２に対して、誤りが有ったＤＬデータ信号を再送する指示を行う。あるいは、スケジューラ１０１は、ＤＬデータ信号の復号結果に誤りが無い場合、送信信号生成部１０２に対して、次のＤＬデータ信号を送信する指示を行う。
【００２６】
また、スケジューラ１０１は、例えば、無線基地局１０とユーザ端末２０との間のチャネル品質に基づいて、ＤＬデータ信号及びＵＬデータ信号のＭＣＳ（Modulation and Coding Scheme）（符号化率、変調方式等）を設定し、ＭＣＳ情報を送信信号生成部１０２及び符号化・変調部１０３へ出力する。なお、ＭＣＳは、無線基地局１０が設定する場合に限定されず、ユーザ端末２０が設定してもよい。ユーザ端末２０がＭＣＳを設定する場合、無線基地局１０は、ユーザ端末２０からＭＣＳ情報を受信すればよい（図示せず）。
【００２７】
送信信号生成部１０２は、ＤＬデータ信号と、ＤＬ制御信号とを含むＤＬ信号を生成する。例えば、ＤＬ制御信号には、スケジューラ１０１から出力されたスケジューリング情報（例えば、ＤＬデータ信号のリソース割当情報）又はＭＣＳ情報を含む下り制御情報（ＤＣＩ：Downlink Control Information）が含まれる。
【００２８】
また、送信信号生成部１０２は、スケジューラ１０１の指示に基づき、ＤＬデータ信号の再送、または、次のＤＬデータ信号の送信を行うためのＤＬ信号を生成する。
【００２９】
送信信号生成部１０２は、生成した送信信号を符号化・変調部１０３に出力する。
【００３０】
符号化・変調部１０３は、例えば、スケジューラ１０１から入力されるＭＣＳ情報に基づいて、送信信号生成部１０２から入力される送信信号に対して、符号化処理及び変調処理を行う。符号化・変調部１０３は、変調後の送信信号をマッピング部１０４に出力する。
【００３１】
マッピング部１０４は、スケジューラ１０１から入力されるスケジューリング情報（例えば、ＤＬのリソース割当）に基づいて、符号化・変調部１０３から入力される送信信号を所定の無線リソースにマッピングする。また、マッピング部１０４は、スケジューリング情報に基づいて、参照信号（例えば、ＤＭＲＳ）を所定の無線リソースにマッピングする。マッピング部１０４は、無線リソースにマッピングされたＤＬ信号を送信部１０５に出力する。
【００３２】
送信部１０５は、マッピング部１０４から入力されるＤＬ信号に対して、アップコンバート、増幅等の送信処理を行い、無線周波数信号（ＤＬ信号）をアンテナ１０６から送信する。
【００３３】
受信部１０７は、アンテナ１０６で受信された無線周波数信号（ＵＬ信号）に対して、増幅、ダウンコンバート等の受信処理を行い、ＵＬ信号を制御部１０８に出力する。
【００３４】
制御部１０８は、スケジューラ１０１から入力されるスケジューリング情報（ＵＬのリソース割当）に基づいて、受信部１０７から入力されるＵＬ信号からＵＬ制御信号、ＵＬデータ信号及びＤＭＲＳを分離（デマッピング）する。そして、制御部１０８は、ＵＬ制御信号およびＵＬデータ信号を復調・復号部１１０に出力し、ＤＭＲＳをチャネル推定部１０９に出力する。
【００３５】
チャネル推定部１０９は、ＵＬ信号のＤＭＲＳを用いてチャネル推定を行い、推定結果であるチャネル推定値を復調・復号部１１０に出力する。
【００３６】
復調・復号部１１０は、制御部１０８から入力されるＵＬ制御信号に対して復調及び復号処理を行う。ＵＬ制御信号には、ユーザ端末２０において復号されたＤＬデータ信号の復号結果を示す応答信号が含まれている。例えば、ＤＬデータ信号の復号結果に誤りがある場合、ＤＬデータ信号の復号結果を示す信号はＮＡＣＫ（Negative ACKnowledgement）（または、否定応答）であり、ＤＬデータ信号の復号結果に誤りが無い場合、ＤＬデータ信号の復号結果を示す信号はＡＣＫ（ACKnowledgement）（または、肯定応答）である。復調・復号部１１０は、ＤＬデータの復号結果を示す応答信号（例えば、ＡＣＫまたはＮＡＣＫ）をスケジューラ１０１へ出力する。以下では、ＡＣＫまたはＮＡＣＫを、適宜、ＡＣＫ／ＮＡＣＫと記載する。
【００３７】
復調・復号部１１０は、チャネル推定部１０９から入力されるチャネル推定値に基づいて、制御部１０８から入力されるＵＬデータ信号に対して復調及び復号処理を行う。復調・復号部１１０は、復調後のＵＬデータ信号を、アプリケーション部（図示せず）に転送する。なお、アプリケーション部は、物理レイヤ又はＭＡＣレイヤより上位のレイヤに関する処理などを行う。
【００３８】
＜ユーザ端末＞
図２は、本実施の形態に係るユーザ端末２０の全体構成の一例を示すブロック図である。図２に示すユーザ端末２０は、アンテナ２０１と、受信部２０２と、制御部２０３と、チャネル推定部２０４と、復調・復号部２０５と、送信信号生成部２０６と、符号化・変調部２０７と、マッピング部２０８と、送信部２０９と、を含む構成を採る。
【００３９】
受信部２０２は、アンテナ２０１で受信された無線周波数信号（ＤＬ信号）に対して、増幅、ダウンコンバート等の受信処理を行い、ＤＬ信号を制御部２０３に出力する。ＤＬ信号には、少なくとも、ＤＬデータ信号、ＤＬ制御信号及びＤＭＲＳが含まれる。
【００４０】
制御部２０３は、受信部２０２から入力されるＤＬ信号からＤＬ制御信号及びＤＭＲＳを分離（デマッピング）する。そして、制御部２０３は、ＤＬ制御信号を復調・復号部２０５に出力し、ＤＭＲＳをチャネル推定部２０４に出力する。
【００４１】
また、制御部２０３は、復調・復号部２０５から入力されるスケジューリング情報（例えば、ＤＬのリソース割当情報）に基づいて、ＤＬ信号からＤＬデータ信号を分離（デマッピング）し、ＤＬデータ信号を復調・復号部２０５に出力する。
【００４２】
チャネル推定部２０４は、分離したＤＭＲＳを用いてチャネル推定を行い、推定結果であるチャネル推定値を復調・復号部２０５に出力する。
【００４３】
復調・復号部２０５は、制御部２０３から入力されるＤＬ制御信号を復調する。また、復調・復号部２０５は、復調後のＤＬ制御信号に対して復号処理（例えば、ブラインド検出処理）を行う。復調・復号部２０５は、ＤＬ制御信号を復号することによって得られた自機宛てのスケジューリング情報（ＤＬ／ＵＬのリソース割当）を制御部２０３及びマッピング部２０８に出力し、ＵＬデータ信号に対するＭＣＳ情報を符号化・変調部２０７へ出力する。
【００４４】
また、復調・復号部２０５は、制御部２０３から入力されるＤＬ制御信号に含まれるＤＬデータ信号に対するＭＣＳ情報に基づいて、チャネル推定部２０４から入力されるチャネル推定値を用いて制御部２０３から入力されるＤＬデータ信号に対して復調及び復号処理を行う。また、復調・復号部２０５は、復号後のＤＬデータ信号をアプリケーション部（図示せず）に転送する。なお、アプリケーション部は、物理レイヤ又はＭＡＣレイヤより上位のレイヤに関する処理などを行う。
【００４５】
また、復調・復号部２０５は、復号後のＤＬデータ信号に対して誤り検出を行い、復号後のＤＬデータ信号に誤りがあるか否かを判定する。復調・復号部２０５は、判定結果を送信信号生成部２０６へ出力する。
【００４６】
送信信号生成部２０６は、送信信号（ＵＬデータ信号又はＵＬ制御信号を含む）を生成し、生成した送信信号を符号化・変調部２０７に出力する。
【００４７】
例えば、送信信号生成部２０６は、復調・復号部２０５から、ＤＬデータ信号の復号結果に誤りがある判定結果を取得した場合、ＮＡＣＫを生成し、ＤＬデータ信号の復号結果に誤りが無い判定結果を取得した場合、ＡＣＫを生成する。
【００４８】
符号化・変調部２０７は、例えば、復調・復号部２０５から入力されるＭＣＳ情報に基づいて、送信信号生成部２０６から入力される送信信号に対して、符号化処理及び変調処理を行う。符号化・変調部２０７は、変調後の送信信号をマッピング部２０８に出力する。
【００４９】
マッピング部２０８は、復調・復号部２０５から入力されるスケジューリング情報（ＵＬのリソース割当）に基づいて、符号化・変調部２０７から入力される送信信号を所定の無線リソースにマッピングする。また、マッピング部２０８は、スケジューリング情報に基づいて、参照信号（例えば、ＤＭＲＳ）を所定の無線リソースにマッピングする。
【００５０】
マッピング部２０８は、無線リソースにマッピングされたＵＬ信号を送信部２０９に出力する。
【００５１】
送信部２０９は、マッピング部２０８から入力されるＵＬ信号（少なくとも、ＵＬ制御信号を含む）に対して、アップコンバート、増幅等の送信処理を行い、無線周波数信号（ＵＬ信号）をアンテナ２０１から送信する。
【００５２】
＜送信信号の構成例＞
次に、本実施の形態における、無線基地局１０およびユーザ端末２０の送信信号の構成例について説明する。
【００５３】
なお、以下では、ＤＬの物理制御チャネルをＰＤＣＣＨ、ＤＬの物理データチャネルをＰＤＳＣＨ、ＵＬの物理制御チャネルをＰＵＣＣＨと記載する。
【００５４】
また、以下では、ＰＤＣＣＨに含まれる信号を送信／受信することを、適宜、ＰＤＣＣＨを送信／受信する、と記載する。同様に、ＰＤＳＣＨに含まれる信号を送信／受信することを、適宜、ＰＤＳＣＨを送信／受信する、と記載する。同様に、ＰＵＣＣＨに含まれる信号を送信／受信することを、適宜、ＰＵＣＣＨを送信／受信する、と記載する。
【００５５】
図３は、無線基地局１０の送信信号およびユーザ端末２０の送信信号の一例を示す図である。図３の横軸は時間軸を示している。なお、図３では、２つのユーザ端末２０を区別するために、それぞれ、ユーザ端末＃０およびユーザ端末＃１と記載している。
【００５６】
図３に示す送信信号における矢印Ａ１は、ＤＬ信号およびＵＬ信号がシングルキャリアによって送信される送信点を示している。以下では、矢印Ａ１に示す送信点をサンプル点と呼ぶことがある。サンプル点の間隔は、例えば、「１／システム帯域幅」である。なお、矢印Ａ１に示す送信点は、サブキャリア、トーン、リソースエレメント、リソースグループ、コンポーネント、シンボル、ミニシンボル、スロット、ミニスロットまたはサンプルと呼んでもよい。すなわち、矢印Ａ１に示す送信点は、サンプル点という名称に限定されない。また、前述で列挙した名称に限定されない。
【００５７】
図３に示す構成では、無線基地局１０がユーザ端末＃０およびユーザ端末＃１それぞれのＰＤＣＣＨおよびＰＤＳＣＨを送信する。シングルキャリアでは、ＯＦＤＭ方式のように特定の区間（例えば、１ＯＦＤＭシンボルの区間）に対してＦＦＴ（Fast Fourier Transform）を行うなどの処理が必要無いため、時間領域において信号（チャネル）が１サンプル毎に設定される。そのため、ＰＤＣＣＨおよび／またはＰＤＳＣＨなどの長さおよび／または配置などを柔軟に構成できる。以下、シングルキャリアにおける、このような柔軟な構成を適宜「Flexibleシングルキャリア構成」と呼ぶ。
【００５８】
Flexibleシングルキャリア構成では、無線基地局１０の送信信号が柔軟に構成されると共に、ユーザ端末２０の送信信号も柔軟に構成される。Flexibleシングルキャリア構成では、例えば、１サンプル毎にＰＵＣＣＨを割り当てるか否かを設定できるため、ＰＵＣＣＨが柔軟に構成される。ＰＵＣＣＨには、例えば、ユーザ端末２０がＰＤＳＣＨに含まれるデータ信号を復号した結果を示す応答信号（例えば、ＡＣＫ／ＮＡＣＫ）が含まれる。
【００５９】
ＰＵＣＣＨが柔軟に構成されるため、無線基地局１０は、各ユーザ端末２０に対して、ＰＤＣＣＨに含まれるＤＣＩを用いて、ＡＣＫ／ＮＡＣＫの送信タイミング（ＰＵＣＣＨの送信領域）を通知する。
【００６０】
図３では、無線基地局１０は、ユーザ端末＃０に対して、ＰＤＣＣＨに含まれるＤＣＩを用いて、Ｎ０サンプル後（Ｎ０は、１以上の整数）がＡＣＫ／ＮＡＣＫの送信タイミングであることを通知する。ユーザ端末＃０は、ＤＣＩを含むＰＤＣＣＨを受信し、ＡＣＫ／ＮＡＣＫの送信タイミングを取得する。また、ユーザ端末＃０は、ＰＤＳＣＨを受信し、ＰＤＳＣＨに含まれるデータ信号を復調および復号する。そして、ユーザ端末＃０は、ＰＤＳＣＨの受信を終えたタイミングから、Ｎ０サンプル後に、ＡＣＫ／ＮＡＣＫを含むＰＵＣＣＨを送信する。
【００６１】
同様に、図３では、無線基地局１０は、ユーザ端末＃１に対して、ＰＤＣＣＨに含まれるＤＣＩを用いて、Ｎ１サンプル後（Ｎ１は、１以上の整数）にＡＣＫ／ＮＡＣＫ送信タイミングであることを通知する。ユーザ端末＃１は、ＤＣＩを含むＰＤＣＣＨを受信し、ＡＣＫ／ＮＡＣＫ送信タイミングを取得する。また、ユーザ端末＃１は、ＰＤＳＣＨを受信し、ＰＤＳＣＨに含まれるデータ信号を復調および復号する。そして、ユーザ端末＃１は、ＰＤＳＣＨの受信を終えたタイミングから、Ｎ１サンプル後に、ＡＣＫ／ＮＡＣＫを含むＰＵＣＣＨを送信する。
【００６２】
図３では、無線基地局１０は、ＡＣＫ／ＮＡＣＫの送信タイミングとなるサンプル数を通知する。サンプル数を通知する場合では、通知するための情報ビット数が増加してしまう。
【００６３】
以下、本実施の形態では、ＡＣＫ／ＮＡＣＫの送信タイミングを通知するための情報ビット数の増加を抑制し、ＡＣＫ／ＮＡＣＫの送信領域である上りリンクの物理制御チャネル（例えば、ＰＵＣＣＨ）を柔軟に設定することができる方法を説明する。
【００６４】
＜第１の構成例＞
図４は、本実施の形態の第１の構成例に係る無線基地局１０の送信信号およびユーザ端末２０の送信信号の一例を示す図である。図４の横軸は時間軸を示している。なお、図４では、２つのユーザ端末２０を区別するために、それぞれ、ユーザ端末＃０およびユーザ端末＃１と記載している。また、図４に示す送信信号における矢印Ａ１は、図３と同様、ＤＬ信号およびＵＬ信号がシングルキャリアによって送信される送信点を示している。
【００６５】
また、図４には、複数のＰＵＣＣＨの送信可能領域が示されている。以下では、時間領域（および周波数領域）のリソースにおける複数のＰＵＣＣＨの送信可能領域（図４では、領域＃０〜領域＃４）の配置を示す配置パターンを送信可能領域パターンと記載する。送信可能領域は、ＰＵＣＣＨを送信可能な時間領域の位置および長さを示している。送信可能領域パターンは、無線基地局１０およびユーザ端末２０において既知である。また、第１の構成例において、送信可能領域パターンは、複数のユーザ端末２０において共通である。つまり、第１の構成例では、複数の送信可能領域は、複数のユーザ端末２０において共通な配置パターンに従って配置されている。
【００６６】
送信可能領域パターンは、仕様により決められても良いし、上位レイヤの信号および／または報知情報（例えば、ＭＩＢ（Master Information Block）、および／または、ＳＩＢ（System Information Block））により通知されても良い。あるいは、送信可能領域パターンは、ユーザ端末２０において共通のＰＤＣＣＨ（Common PDCCH）により通知されてもよい。
【００６７】
無線基地局１０のスケジューラ１０１は、例えば、無線通信システムの要求条件（例えば、システムの通信速度、通信容量、遅延時間、および、無線基地局１０に接続するユーザ端末２０の数）に応じて、ユーザ端末＃０およびユーザ端末＃１それぞれのＰＤＣＣＨおよびＰＤＳＣＨの配置および長さを設定する。
【００６８】
また、スケジューラ１０１は、例えば、ユーザ端末２０宛のデータ量（例えば、ＤＬ制御信号、および／または、ＤＬデータ信号のサイズ）に応じて、ユーザ端末＃０およびユーザ端末＃１それぞれのＰＤＣＣＨおよびＰＤＳＣＨの配置および長さを設定する。
【００６９】
そして、スケジューラ１０１は、設定したＰＤＣＣＨおよびＰＤＳＣＨにおいて、ＤＬ信号のスケジューリングを行う。ＰＤＣＣＨとＰＤＳＣＨのそれぞれの長さおよび配置を示す情報（以下、設定情報）は、無線基地局１０からユーザ端末２０へ通知される。
【００７０】
また、スケジューラ１０１は、ＰＵＣＣＨの送信可能領域パターンに基づいて、ユーザ端末＃０が送信するＰＵＣＣＨおよびユーザ端末＃１が送信するＰＵＣＣＨの送信領域を設定する。
【００７１】
例えば、スケジューラ１０１は、ＰＵＣＣＨの送信可能領域パターンに含まれる複数の送信可能領域のうち、ＤＬ信号を送信しない領域、および、他のＵＬ信号を受信しない領域に含まれる送信可能領域を特定する。そして、スケジューラ１０１は、特定した送信可能領域のうち、各ユーザ端末２０宛の送信信号の後に設けられる送信可能領域を、当該ユーザ端末２０におけるＰＵＣＣＨの送信領域として設定する。
【００７２】
図４の例では、送信可能領域のうち、領域＃３および領域＃４がＤＬ信号を送信しない領域に含まれる送信可能領域である。また、領域＃３および領域＃４は、いずれも、ユーザ端末２０（ユーザ端末＃０およびユーザ端末＃１）宛の送信信号の後に設けられている。スケジューラ１０１は、領域＃３を、ユーザ端末＃０におけるＰＵＣＣＨの送信領域として設定し、領域＃４を、ユーザ端末＃１におけるＰＵＣＣＨの送信領域として設定する。
【００７３】
なお、スケジューラ１０１は、領域＃４を、ユーザ端末＃０におけるＰＵＣＣＨの送信領域として設定し、領域＃３を、ユーザ端末＃１におけるＰＵＣＣＨの送信領域として設定してもよい。
【００７４】
スケジューラ１０１は、各ユーザ端末２０宛のＰＤＣＣＨに含まれるＤＣＩを用いて、ＰＵＣＣＨの送信領域を示すインデックスの情報を通知する。例えば、スケジューラ１０１は、ユーザ端末＃０宛のＰＤＣＣＨに含まれるＤＣＩを用いて、ＰＵＣＣＨの送信領域として設定した領域＃３を示すインデックスの情報を通知し、ユーザ端末＃１宛のＰＤＣＣＨに含まれるＤＣＩを用いて、ＰＵＣＣＨの送信領域として設定した領域＃４を示すインデックスの情報を通知する。
【００７５】
ユーザ端末２０は、無線基地局１０から送信されたＤＬ信号を受信すると、復調処理および復号処理を行う。その際、ユーザ端末２０の復調・復号部２０５は、設定情報に基づいて、ＤＬ信号のＰＤＣＣＨの配置および長さを特定し、特定したＰＤＣＣＨにマッピングされているＤＬ制御信号の復調処理および復号処理を行う。そして、復調・復号部２０５は、ＤＬ制御信号を用いて、ＰＤＳＣＨにマッピングされているＤＬデータ信号の復調処理および復号処理を行う。
【００７６】
復調・復号部２０５は、ＤＬ制御信号のＤＣＩに含まれるインデックスの情報をマッピング部２０８へ出力する。また、復調・復号部２０５は、ＤＬデータ信号の復号処理を行い、ＤＬデータ信号に誤りがあるか否かを判定する。復調・復号部２０５は、判定結果を送信信号生成部２０６へ出力する。
【００７７】
送信信号生成部２０６は、ＤＬデータ信号に誤りがある判定結果を取得した場合、ＮＡＣＫを生成し、ＤＬデータ信号に誤りが無い判定結果を取得した場合、ＡＣＫを生成する。送信信号生成部２０６は、ＡＣＫ／ＮＡＣＫを符号化・変調部２０７へ出力する。
【００７８】
符号化・変調部２０７は、ＡＣＫ／ＮＡＣＫに対して、符号化処理および変調処理を行う。符号化・変調部２０７は、符号化処理および変調処理を施したＡＣＫ／ＮＡＣＫをマッピング部２０８へ出力する。
【００７９】
マッピング部２０８は、復調・復号部２０５から取得したインデックスの情報および既知の送信可能領域パターンに基づいて、ＰＵＣＣＨの送信領域を設定し、設定したＰＵＣＣＨの送信領域においてＡＣＫ／ＮＡＣＫをマッピングする。つまり、マッピング部２０８は、複数の送信可能領域の中から、インデックスの情報によって指定された送信領域にＡＣＫ／ＮＡＣＫをマッピングする。
【００８０】
なお、送信可能領域パターンは、図４に示す例に限られない。以下、送信可能領域パターンのバリエーションについて説明する。
【００８１】
図５は、本実施の形態の第１の構成例における送信可能領域パターンの第１の例を示す図である。図５の横軸は時間軸である。図５には、送信可能領域パターンＡ〜送信可能領域パターンＤの４つの送信可能領域パターンが示されている。なお、送信可能領域パターンＡは、図４に示した送信可能領域パターンに相当する。
【００８２】
送信可能領域パターンＡと送信可能領域パターンＢに示すように、１つの送信可能領域の時間領域の長さは変更されても良い。
【００８３】
また、送信可能領域パターンＣに示すように、送信可能領域は、時間領域において連続して設定されていてもよい。
【００８４】
また、送信可能領域パターンＤに示すように、送信可能領域は、時間領域において重なっていてもよい。
【００８５】
なお、複数のユーザ端末２０が同一の周波数帯域においてＰＵＣＣＨを送信する場合、送信可能領域パターンＤにおける領域＃０と領域＃１は、異なるユーザ端末２０のＰＵＣＣＨの送信領域として設定されない。
【００８６】
なお、図５に示した送信可能領域パターンは、１つの周波数帯域における送信可能領域を規定するパターンである。次に、複数の周波数帯域の間でＰＵＣＣＨを送信する帯域を切替える（周波数ホッピングを行う）場合の、送信可能領域パターンのバリエーションについて説明する。
【００８７】
図６は、本実施の形態の第１の構成例における送信可能領域パターンの第２の例を示す図である。図６の横軸は時間軸であり、縦軸は周波数軸である。図６には、図５に示した送信可能領域パターンＡと、図５に示していない送信可能領域パターンＥが示されている。
【００８８】
送信可能領域パターンＥでは、１つの送信可能領域（例えば、領域＃１）が２つの周波数帯域Ｂ１およびＢ２において設定されている。なお、１つの送信可能領域として設定されている、２つの周波数帯域Ｂ１およびＢ２の部分領域は時間軸方向では重複しない。
【００８９】
なお、図６では、２つの周波数帯域Ｂ１およびＢ２において１つの送信可能領域が設定される例を示した。本発明は、１つの送信可能領域が、３つ以上の周波数帯域において設定されていても良い。
【００９０】
次に、無線基地局１０からユーザ端末２０へ通知されるＰＵＣＣＨの送信領域の通知方法の一例について説明する。
【００９１】
図７は、本実施の形態の第１の構成例におけるＰＵＣＣＨの送信領域の通知方法の一例を示す図である。図７の横軸は時間軸である。図７には、ユーザ端末２０が受信する受信信号が示されている。
【００９２】
まず、ユーザ端末２０は、ＭＩＢまたはＳＩＢを用いて通知される、ユーザ端末２０に共通のＰＤＣＣＨ（Common PDCCH）の位置の情報を取得する。
【００９３】
次に、ユーザ端末２０は、取得したCommon PDCCHの位置の情報に基づいて、Common PDCCHを受信し、Common PDCCHを用いて通知される、ＰＵＣＣＨの送信可能領域パターンの情報を取得する。ＰＵＣＣＨの送信可能領域パターンの情報とは、例えば、図５に示した複数の送信可能領域パターンそれぞれに対応付けられた識別子の情報である。
【００９４】
次に、ユーザ端末２０は、各ユーザ端末２０宛のＰＤＣＣＨ（UE-specific PDCCH）を用いて通知される、ＰＵＣＣＨの送信領域を示すインデックスの情報を取得する。
【００９５】
ユーザ端末２０は、ＰＵＣＣＨの送信可能領域パターンの情報に基づき、無線基地局１０が適用する送信可能領域パターンを特定する。そして、ユーザ端末２０は、ＰＵＣＣＨの送信領域を示すインデックスの情報に基づき、特定した送信可能領域パターンにおける、ユーザ端末２０に設定されたＰＵＣＣＨの送信領域を特定する。
【００９６】
＜第１の構成例の効果＞
上述した第１の構成例では、無線基地局１０は、無線基地局１０およびユーザ端末２０において既知である送信可能領域パターンに基づいて、ユーザ端末２０に対してＰＵＣＣＨの送信領域を設定する。そして、無線基地局１０は、ユーザ端末２０に対して設定した送信領域を示すインデックスの情報を、ユーザ端末２０に通知する。ユーザ端末２０は、通知されたインデックスの情報と送信可能領域パターンに基づいて、ＰＵＣＣＨの送信領域を特定し、無線基地局１０に対して、ＤＬデータ信号の復号結果を示す応答信号を含むＰＵＣＣＨを送信する。この方法によって、ユーザ端末２０に通知する情報量（情報ビット数）の増加を抑制し、ＰＵＣＣＨの送信領域を柔軟に設定できる。
【００９７】
＜第２の構成例＞
上述した第１の構成例では、送信可能領域パターンが、複数のユーザ端末２０において共通である例について説明した。第２の構成例では、送信可能領域パターンが、ユーザ端末２０毎に個別に設定される例について説明する。
【００９８】
図８は、本実施の形態の第２の構成例に係る無線基地局１０の送信信号およびユーザ端末２０の送信信号の一例を示す図である。図８の横軸は時間軸を示している。なお、図８では、２つのユーザ端末２０を区別するために、それぞれ、ユーザ端末＃０およびユーザ端末＃１と記載している。また、図８に示す送信信号における矢印Ａ１は、図３と同様、ＤＬ信号およびＵＬ信号がシングルキャリアによって送信される送信点を示している。
【００９９】
また、図８には、ユーザ端末＃０およびユーザ端末＃１それぞれに対する、ＰＵＣＣＨの送信可能領域パターンが示されている。ユーザ端末＃０用のＰＵＣＣＨの送信可能領域パターンは、図５に示した送信可能領域パターンＣに相当し、ユーザ端末＃１用のＰＵＣＣＨの送信可能領域パターンは、図５に示した送信可能領域パターンＡに相当する。なお、図８では、ユーザ端末＃１用のＰＵＣＣＨの送信可能領域パターンに含まれる、領域＃２以降の送信可能領域を、図示の便宜上、省略する。
【０１００】
ユーザ端末＃０用の送信可能領域パターンは、無線基地局１０およびユーザ端末＃０において既知である。ユーザ端末＃１用の送信可能領域パターンは、無線基地局１０およびユーザ端末＃１において既知である。
【０１０１】
送信可能領域パターンは、仕様により決められても良いし、上位レイヤの信号および／または報知情報（例えば、ＭＩＢ（Master Information Block）、および／または、ＳＩＢ（System Information Block））により通知されても良い。
【０１０２】
なお、図８では、ユーザ端末＃０およびユーザ端末＃１それぞれに対するＰＵＣＣＨの送信可能領域パターンが異なる例を示している。この場合、送信可能領域パターンは、各ユーザ端末２０宛のＰＤＣＣＨ（UE-specific PDCCH）を用いて通知されてもよい。
【０１０３】
また、上述した第１の構成例と同様、送信可能領域パターンは、複数のユーザ端末２０において共通であっても良い。この場合、送信可能領域パターンは、ユーザ端末２０において共通のＰＤＣＣＨ（Common PDCCH）を用いて通知されてもよい。
【０１０４】
第２の構成例では、ＰＵＣＣＨの送信領域の設定方法が、第１の構成例と異なる。具体的には、各ユーザ端末２０のＰＵＣＣＨの送信領域は、各ユーザ端末２０宛のＤＬ信号の送信終了タイミング（図８の例では、ＰＤＳＣＨの送信終了タイミング）を起点とし、各ユーザ端末２０用のＰＵＣＣＨの送信可能領域パターンに基づいて設定される。
【０１０５】
例えば、スケジューラ１０１がユーザ端末＃０のＰＵＣＣＨの送信領域を設定する場合、スケジューラ１０１は、ユーザ端末＃０宛のＤＬ信号のスケジューリングを行い、ユーザ端末＃０宛のＤＬ信号の送信終了タイミングを特定する。そして、スケジューラ１０１は、特定した送信終了タイミングを起点として、ユーザ端末＃０用のＰＵＣＣＨの送信可能領域パターンを設定する。そして、スケジューラ１０１は、ユーザ端末＃０用のＰＵＣＣＨの送信可能領域パターンのうち、ＤＬ信号を送信しない領域、および、他のＵＬ信号を受信しない領域に含まれる送信可能領域を特定する。そして、スケジューラ１０１は、特定した送信可能領域のうち、少なくとも１つをユーザ端末＃０におけるＰＵＣＣＨの送信領域として設定する。
【０１０６】
図８の例では、ユーザ端末＃０のＰＤＳＣＨの送信終了タイミングを起点として設定されたユーザ端末＃０用のＰＵＣＣＨの送信可能領域パターンに含まれる送信可能領域のうち、領域＃４〜領域＃７がＤＬ信号を送信しない領域に含まれる送信可能領域である。スケジューラ１０１は、領域＃５を、ユーザ端末＃０におけるＰＵＣＣＨの送信領域として設定する。
【０１０７】
また、例えば、スケジューラ１０１がユーザ端末＃１のＰＵＣＣＨの送信領域を設定する場合、スケジューラ１０１は、ユーザ端末＃１宛のＤＬ信号のスケジューリングを行い、ユーザ端末＃１宛のＤＬ信号の送信終了タイミングを特定する。そして、スケジューラ１０１は、特定した送信終了タイミングを起点として、ユーザ端末＃１用のＰＵＣＣＨの送信可能領域パターンを設定する。そして、スケジューラ１０１は、ユーザ端末＃１用のＰＵＣＣＨの送信可能領域パターンのうち、ＤＬ信号を送信しない領域、および、他のＵＬ信号を受信しない領域に含まれる送信可能領域を特定する。そして、スケジューラ１０１は、特定した送信可能領域のうち、少なくとも１つをユーザ端末＃１におけるＰＵＣＣＨの送信領域として設定する。
【０１０８】
図８の例では、ユーザ端末＃１のＰＤＳＣＨの送信終了タイミングを起点として設定されたユーザ端末＃１用のＰＵＣＣＨの送信可能領域パターンに含まれる送信可能領域のうち、領域＃０および領域＃１がＤＬ信号を送信しない領域に含まれる送信可能領域である。スケジューラ１０１は、領域＃１を、ユーザ端末＃１におけるＰＵＣＣＨの送信領域として設定する。
【０１０９】
なお、スケジューラ１０１は、例えば、ユーザ端末＃０用のＰＵＣＣＨの送信可能領域パターンに含まれる領域＃６および／または領域＃７を、ユーザ端末＃０におけるＰＵＣＣＨの送信領域として設定してもよい。この場合、ユーザ端末＃１用のＰＵＣＣＨの送信可能領域パターンに含まれる領域＃１とユーザ端末＃０用のＰＵＣＣＨの送信可能領域パターンに含まれる領域＃６および領域＃７とが重複するため、スケジューラ１０１は、ユーザ端末＃１用のＰＵＣＣＨの送信可能領域パターンに含まれる領域＃０を、ユーザ端末＃１におけるＰＵＣＣＨの送信領域として設定してもよい。
【０１１０】
各ユーザ端末２０に設定されたＰＵＣＣＨの送信領域を示すインデックスの情報は、第１の構成例と同様に、各ユーザ端末２０宛のＰＤＣＣＨに含まれるＤＣＩを用いて通知される。
【０１１１】
ユーザ端末２０のマッピング部２０８は、第１の構成例と同様に、復調・復号部２０５から取得したインデックスの情報および既知の送信可能領域パターンに基づいて、ＰＵＣＣＨの送信領域を設定する。その際、マッピング部２０８は、復調・復号部２０５から、ＤＬ信号の受信終了タイミングの情報を取得し、受信終了タイミングを起点として既知の送信可能領域パターンを設定し、インデックスの情報が示すＰＵＣＣＨの送信領域においてＡＣＫ／ＮＡＣＫをマッピングする。
【０１１２】
なお、第２の構成例においても、第１の構成例と同様に、送信可能領域パターンは、図８に示す例に限られない。例えば、ユーザ端末２０毎に、図５および／または図６に示した複数の送信可能領域パターンのいずれかが設定されても良い。
【０１１３】
また、第２の構成例では、送信可能領域パターンが、ユーザ端末２０毎に個別に設定される。この場合、送信可能領域パターンとユーザ端末２０毎に定められる他の情報とを対応づける方法を用いても良い。
【０１１４】
ユーザ端末２０毎に定められる他の情報とは、例えば、ユーザ端末２０が送信する上りリンク信号に関する上りリンク送信信号情報、ユーザ端末２０が受信する下り信号に関する下りリンク送信信号情報、上りリンクの品質に関する上りリンク品質情報、および、下りリンクの品質に関する下りリンク品質情報の少なくとも１つである。
【０１１５】
上りリンク送信信号情報は、例えば、上りリンク信号に対して設定されるＴＢＳ（Transport Block Size）およびＭＣＳ（Modulation and Coding Scheme）の少なくとも１つである。下りリンク送信信号情報は、例えば、下りリンク信号に対して設定されるＴＢＳおよびＭＣＳの少なくとも１つである。ただし、ＴＢＳという用語はあくまで一例であり、将来の通信方式において用いられる送信サイズおよび／または受信サイズを示す用語であってもよい。例えば、ＴＢＳの代わりに、ＴＢ（Transport Block）を細分化したブロックであるＣＢ（Code Block）のサイズに相当する用語であってもよい。また、ＭＣＳという用語はあくまで一例であり、将来の通信方式において用いられる変調および／または符号化方式を意図したＭＣＳに相当する用語であってもよい。
【０１１６】
上りリンク品質情報は、例えば、上りリンクのＲＳＲＰ（Reference Signal Received Power）およびＲＳＲＱ（Reverence Signal Received Quality）の少なくとも１つである。下りリンク品質情報は、例えば、下りリンクのＲＳＲＰおよびＲＳＲＱの少なくとも１つである。ただし、ＲＳＲＰおよびＲＳＲＱという用語はあくまで一例であり、将来の通信方式において用いられるアンテナポート毎の品質情報を示すＲＳＲＰおよびＲＳＲＱに相当する用語（例えば、ＣＳＩ（Channel State Information）−ＲＳＲＰおよびＣＳＩ−ＲＳＲＱ）であってもよい。
【０１１７】
ＴＢＳおよびＭＣＳの情報は、無線基地局１０においてユーザ端末２０毎に設定され、ユーザ端末２０に通知されるため、ユーザ端末２０および無線基地局１０において既知である。また、ＲＳＲＰおよびＲＳＲＱの情報は、ユーザ端末２０において測定され、無線基地局１０にフィードバックされるため、ユーザ端末２０および無線基地局１０において既知である。
【０１１８】
例えば、ＲＳＲＰが閾値以下の場合、送信可能領域のサイズが比較的大きい送信可能領域パターン（例えば、図５におけるパターンＢ）が対応づけられ、ＲＳＲＰが閾値より大きい場合、送信可能領域のサイズが比較的小さい送信可能領域パターン（例えば、図５におけるパターンＡ）が対応づけられていても良い。そして、ＲＳＲＰが閾値以下の場合、低い符号化率および／または繰り返し（Repetition）を用いても良い。低い符号化率および／または繰り返し（Repetition）を用いた場合、無線基地局１０におけるＰＵＣＣＨの受信品質の低下を抑制できる。
【０１１９】
また、例えば、ＰＵＣＣＨにマッピングされる情報量（情報ビット数）が閾値以上の場合、送信可能領域のサイズが比較的大きい送信可能領域パターン（例えば、図５におけるパターンＢ）が対応づけられ、情報量（情報ビット数）が閾値未満の場合、送信可能領域のサイズが比較的小さい送信可能領域パターン（例えば、図５におけるパターンＡ）が対応づけられていても良い。
【０１２０】
送信可能領域パターンとユーザ端末２０毎に定められる他の情報とを対応づける方法を用いた場合、ユーザ端末２０は、ユーザ端末２０に定められる他の情報に基づいて、送信可能領域パターンを特定する。この方法では、無線基地局１０が送信可能領域パターンをユーザ端末２０に通知しなくても良いため、ユーザ端末２０に通知する情報量（情報ビット数）の増加を抑制できる。
【０１２１】
なお、上述した第２の構成例では、各ユーザ端末２０のＰＵＣＣＨの送信領域が各ユーザ端末２０宛のＤＬ信号の送信終了タイミング（図８の例では、ＰＤＳＣＨの送信終了タイミング）を起点として設定される例について説明した。起点は、各ユーザ端末２０宛のＤＬ信号の送信終了タイミングに限られず、例えば、各ユーザ端末２０宛のＤＬ信号の送信開始タイミング（図８の例では、ＰＤＣＣＨの送信開始タイミング）であっても良い。また、起点は、複数のユーザ端末２０において共通に設定されていても良い。
【０１２２】
＜第２の構成例の効果＞
上述した第２の構成例では、無線基地局１０は、無線基地局１０およびユーザ端末２０において既知である送信可能領域パターンに基づいて、ユーザ端末２０に対してＰＵＣＣＨの送信領域を設定する。そして、無線基地局１０は、ユーザ端末２０に対して設定した送信領域を示すインデックスの情報を、ユーザ端末２０に通知する。ユーザ端末２０は、通知されたインデックスの情報と送信可能領域パターンに基づいて、ＰＵＣＣＨの送信領域を特定し、無線基地局１０に対して、ＤＬデータ信号の復号結果を示す応答信号を含むＰＵＣＣＨを送信する。この方法によって、ユーザ端末２０に通知する情報量（情報ビット数）の増加を抑制し、ＰＵＣＣＨの送信領域を柔軟に設定できる。
【０１２３】
また、第２の構成例では、ユーザ端末２０毎に送信可能領域パターンが設定されるため、ユーザ端末２０毎のＰＵＣＣＨの送信領域をより柔軟に設定できる。
【０１２４】
＜第３の構成例＞
上述した第１の構成例および第２の構成例では、無線基地局１０がユーザ端末２０に対して、ＰＵＣＣＨの送信領域を示すインデックスの情報を通知する例について説明した。第３の構成例では、ユーザ端末２０が、無線基地局１０からの通知を受けることなく、ＰＵＣＣＨの送信領域を設定する例について説明する。
【０１２５】
図９は、本実施の形態の第３の構成例に係る無線基地局１０の送信信号およびユーザ端末２０の送信信号の一例を示す図である。図９の横軸は時間軸を示している。なお、図９では、２つのユーザ端末２０を区別するために、それぞれ、ユーザ端末＃０およびユーザ端末＃１と記載している。また、図９に示す送信信号における矢印Ａ１は、図３と同様、ＤＬ信号およびＵＬ信号がシングルキャリアによって送信される送信点を示している。
【０１２６】
図９の例では、無線基地局１０から送信されるユーザ端末＃０宛のＤＬ信号の送信終了タイミングを起点として所定のマージンが設けられる。そして、ユーザ端末＃０のＰＵＣＣＨの送信領域は、所定のマージンの時間軸において後の一定の時間領域に設定されている。同様に、無線基地局１０から送信されるユーザ端末＃１宛のＤＬ信号の送信終了タイミングを起点として所定のマージンが設けられる。そして、ユーザ端末＃１のＰＵＣＣＨの送信領域は、所定のマージンの時間軸において後の一定の時間領域に設定されている。
【０１２７】
所定のマージンは、ＤＬリンクとＵＬリンクとの切替時間、ＤＬリンクおよび／またはＵＬリンクの到来時間の差（例えば、無線基地局１０におけるＤＬ信号の送信タイミングとユーザ端末２０における当該ＤＬ信号の受信タイミングとの差）、無線基地局１０およびユーザ端末２０における処理時間などを考慮して設けられる。
【０１２８】
所定のマージン、および、ＰＵＣＣＨの一定の時間領域の情報は、無線基地局１０および各ユーザ端末２０において既知である。
【０１２９】
無線基地局１０のスケジューラ１０１は、ユーザ端末＃０宛のＤＬ信号のスケジューリングを行い、ユーザ端末＃０宛のＤＬ信号の送信終了タイミングを特定する。そして、スケジューラ１０１は、特定した送信終了タイミングを起点として、所定のマージンおよび一定の時間領域を、他のＤＬ信号を送信せずにユーザ端末＃０からのＰＵＣＣＨの受信区間として設定する。同様に、スケジューラ１０１は、ユーザ端末＃１宛のＤＬ信号のスケジューリングを行い、ユーザ端末＃１宛のＤＬ信号の送信終了タイミングを特定する。そして、スケジューラ１０１は、特定した送信終了タイミングを起点として、所定のマージンおよび一定の時間領域を、他のＤＬ信号を送信せずにユーザ端末＃１からのＰＵＣＣＨの受信区間として設定する。
【０１３０】
ユーザ端末２０のマッピング部２０８は、復調・復号部２０５から、ＤＬ信号の受信終了タイミングの情報を取得する。そして、マッピング部２０８は、受信終了タイミングを起点として所定のマージンを設け、所定のマージンの時間軸において後の一定の時間領域をＰＵＣＣＨの送信領域として設定し、ＡＣＫ／ＮＡＣＫをマッピングする。
【０１３１】
なお、第３の構成例において、所定のマージンおよび／またはＰＵＣＣＨの一定の時間領域の情報は、複数のユーザ端末２０において同一であっても良いし、ユーザ端末２０毎に個別に設定されていても良い。
【０１３２】
また、所定のマージンおよび／またはＰＵＣＣＨの一定の時間領域の情報は、ユーザ端末２０毎に定められる他の情報（例えば、ＴＢＳ、ＭＣＳ、ＲＳＲＰ、および、ＲＳＲＱの少なくとも１つ）と対応づけられていても良い。
【０１３３】
＜第３の構成例の効果＞
上述した第３の構成例では、無線基地局１０およびユーザ端末２０において既知である所定のマージン、および、ＰＵＣＣＨの一定の時間領域の情報に基づいて、ユーザ端末２０に対してＰＵＣＣＨの送信領域が設定される。ユーザ端末２０は、既知である所定のマージン、および、ＰＵＣＣＨの一定の時間領域の情報に基づいて、ＰＵＣＣＨの送信領域を設定し、無線基地局１０に対して、ＤＬデータ信号の復号結果を示す応答信号を含むＰＵＣＣＨを送信する。この方法によって、ユーザ端末２０にＰＵＣＣＨの送信領域を示す情報を通知することなく、無線基地局１０およびユーザ端末２０においてＰＵＣＣＨの送信領域が暗示的に共通の領域に設定されるため、ユーザ端末２０に通知する情報量（情報ビット数）の増加を抑制できる。
【０１３４】
以上、本発明の実施の形態について説明した。
【０１３５】
（ハードウェア構成）
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【０１３６】
例えば、本発明の一実施の形態における無線基地局、ユーザ端末などは、本発明の無線通信方法の処理を行うコンピュータとして機能してもよい。図１０は、本発明の一実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１３７】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１３８】
例えば、プロセッサ１００１は１つだけ図示されているが、複数のプロセッサがあってもよい。また、処理は、１のプロセッサで実行されてもよいし、処理が同時に、逐次に、又はその他の手法で、一以上のプロセッサで実行されてもよい。なお、プロセッサ１００１は、一以上のチップで実装されてもよい。
【０１３９】
無線基地局１０及びユーザ端末２０における各機能は、プロセッサ１００１、メモリ１００２などのハードウェア上に所定のソフトウェア（プログラム）を読み込ませることで、プロセッサ１００１が演算を行い、通信装置１００４による通信、又は、メモリ１００２及びストレージ１００３におけるデータの読み出し及び／又は書き込みを制御することで実現される。
【０１４０】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。例えば、上述のスケジューラ１０１、送信信号生成部１０２，２０６、符号化・変調部１０３，２０７、マッピング部１０４，２０８、制御部１０８，２０３、チャネル推定部１０９，２０４、復調・復号部１１０，２０５などは、プロセッサ１００１で実現されてもよい。
【０１４１】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、無線基地局１０のスケジューラ１０１は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されてもよい。
【０１４２】
メモリ１００２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）、ＲＡＭ（Random Access Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【０１４３】
ストレージ１００３は、コンピュータ読み取り可能な記録媒体であり、例えば、ＣＤ−ＲＯＭ（Compact Disc ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０１４４】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の送信部１０５，２０９、アンテナ１０６，２０１、受信部１０７，２０２などは、通信装置１００４で実現されてもよい。
【０１４５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【０１４６】
また、プロセッサ１００１及びメモリ１００２などの各装置は、情報を通信するためのバス１００７で接続される。バス１００７は、単一のバスで構成されてもよいし、装置間で異なるバスで構成されてもよい。
【０１４７】
また、無線基地局１０及びユーザ端末２０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１４８】
（情報の通知、シグナリング）
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、報知情報（ＭＩＢ（Master Information Block）、ＳＩＢ（System Information Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０１４９】
（適応システム）
本明細書で説明した各態様／実施形態は、ＬＴＥ（Long Term Evolution）、ＬＴＥ−Ａ（LTE-Advanced）、ＳＵＰＥＲ ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ ８０２．１１（Ｗｉ−Ｆｉ）、ＩＥＥＥ ８０２．１６（ＷｉＭＡＸ）、ＩＥＥＥ ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１５０】
（処理手順等）
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１５１】
（基地局の操作）
本明細書において基地局（無線基地局）によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード(例えば、ＭＭＥ（Mobility Management Entity）またはＳ−ＧＷ（Serving Gateway）などが考えられるが、これらに限られない)によって行われ得ることは明らかである。上記において基地局以外の他のネットワークノードが１つである場合を例示したが、複数の他のネットワークノードの組み合わせ(例えば、ＭＭＥおよびＳ−ＧＷ)であってもよい。
【０１５２】
（入出力の方向）
情報及び信号等は、上位レイヤ(または下位レイヤ)から下位レイヤ(または上位レイヤ)に出力され得る。複数のネットワークノードを介して入出力されてもよい。
【０１５３】
（入出力された情報等の扱い）
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置に送信されてもよい。
【０１５４】
（判定方法）
判定は、１ビットで表される値（０か１か）によって行われてもよいし、真偽値（Boolean：trueまたはfalse）によって行われてもよいし、数値の比較（例えば、所定の値との比較）によって行われてもよい。
【０１５５】
（ソフトウェア）
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１５６】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１５７】
（情報、信号）
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１５８】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【０１５９】
（「システム」、「ネットワーク」）
本明細書で使用する「システム」および「ネットワーク」という用語は、互換的に使用される。
【０１６０】
（パラメータ、チャネルの名称）
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１６１】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【０１６２】
（基地局）
基地局（無線基地局）は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Remote Radio Head）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」、「ｅＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、アクセスポイント（access point）、フェムトセル、スモールセルなどの用語で呼ばれる場合もある。
【０１６３】
（端末）
ユーザ端末は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、ＵＥ（User Equipment）、またはいくつかの他の適切な用語で呼ばれる場合もある。
【０１６４】
（用語の意味、解釈）
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１６５】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１６６】
参照信号は、ＲＳ（Reference Signal）と略称することもでき、適用される標準によってパイロット（Pilot）と呼ばれてもよい。
【０１６７】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１６８】
上記の各装置の構成における「部」を、「手段」、「回路」、「デバイス」等に置き換えてもよい。
【０１６９】
「含む(including)」、「含んでいる（comprising）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【０１７０】
無線フレームは時間領域において１つまたは複数のフレームで構成されてもよい。時間領域において１つまたは複数の各フレームはサブフレーム、タイムユニット等と呼ばれてもよい。サブフレームは更に時間領域において１つまたは複数のスロットで構成されてもよい。スロットはさらに時間領域において１つまたは複数のシンボル（ＯＦＤＭ（Orthogonal Frequency Division Multiplexing）シンボル、ＳＣ-ＦＤＭＡ（Single Carrier-Frequency Division Multiple Access）シンボル等）で構成されてもよい。
【０１７１】
無線フレーム、サブフレーム、スロット、ミニスロット、およびシンボルは、いずれも信号を伝送する際の時間単位を表す。無線フレーム、サブフレーム、スロット、ミニスロット、およびシンボルは、それぞれに対応する別の呼び方であってもよい。
【０１７２】
例えば、ＬＴＥシステムでは、基地局が各移動局に無線リソース（各移動局において使用することが可能な周波数帯域幅、送信電力等）を割り当てるスケジューリングを行う。スケジューリングの最小時間単位をＴＴＩ（Transmission Time Interval）と呼んでもよい。
【０１７３】
例えば、１サブフレームをＴＴＩと呼んでもよいし、複数の連続したサブフレームをＴＴＩと呼んでもよいし、１スロットをＴＴＩと呼んでもよいし、１ミニスロットをＴＴＩと呼んでもよい。
【０１７４】
リソースユニットは、時間領域および周波数領域のリソース割当単位であり、周波数領域では１つまたは複数個の連続した副搬送波（subcarrier）を含んでもよい。また、リソースユニットの時間領域では、１つまたは複数個のシンボルを含んでもよく、１スロット、１ミニスロット、１サブフレーム、または１ＴＴＩの長さであってもよい。１ＴＴＩ、１サブフレームは、それぞれ１つまたは複数のリソースユニットで構成されてもよい。また、リソースユニットは、リソースブロック（ＲＢ：Resource Block）、物理リソースブロック（ＰＲＢ：Physical RB）、ＰＲＢペア、ＲＢペア、スケジューリングユニット、周波数ユニット、サブバンドと呼ばれてもよい。また、リソースユニットは、１つ又は複数のＲＥで構成されてもよい。例えば、１ＲＥは、リソース割当単位となるリソースユニットより小さい単位のリソース（例えば、最小のリソース単位）であればよく、ＲＥという呼称に限定されない。
【０１７５】
上述した無線フレームの構造は例示に過ぎず、無線フレームに含まれるサブフレームの数、サブフレームに含まれるスロットの数、サブフレームに含まれるミニスロットの数、スロットに含まれるシンボルおよびリソースブロックの数、および、リソースブロックに含まれるサブキャリアの数は様々に変更することができる。
【０１７６】
本開示の全体において、例えば、英語でのa, an, 及びtheのように、翻訳により冠詞が追加された場合、これらの冠詞は、文脈から明らかにそうではないことが示されていなければ、複数のものを含むものとする。
【０１７７】
（態様のバリエーション等）
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１７８】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【０１７９】
本発明の一態様は、移動通信システムに有用である。
【符号の説明】
【０１８０】
１０  無線基地局
２０  ユーザ端末
１０１  スケジューラ
１０２，２０６  送信信号生成部
１０３，２０７  符号化・変調部
１０４，２０８  マッピング部
１０５，２０９  送信部
１０６，２０１  アンテナ
１０７，２０２  受信部
１０８，２０３  制御部
１０９，２０４  チャネル推定部
１１０，２０５  復調・復号部
【図１】
2019043800.tif 000003
【図２】
2019043800.tif 000004
【図３】
2019043800.tif 000005
【図４】
2019043800.tif 000006
【図５】
2019043800.tif 000007
【図６】
2019043800.tif 000008
【図７】
2019043800.tif 000009
【図８】
2019043800.tif 000010
【図９】
2019043800.tif 000011
【図１０】
2019043800.tif 000012
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
下りリンク共有チャネルの信号を受信する受信部と、
複数の時間リソース候補に含まれる時間リソースにおいて、前記下りリンク共有チャネルの信号に対するＡＣＫ（Acknowledgement）／ＮＡＣＫ（Negative Acknowledgement）情報を、上りリンク制御チャネルを用いて送信する送信部と、
を備える端末。
【請求項２】
前記受信部は、前記複数の時間リソース候補を示す情報を含む上位レイヤ信号を受信する、
請求項１に記載の端末。
【請求項３】
前記受信部は、下りリンク制御情報を受信し、
前記下りリンク制御情報は、前記複数の時間リソース候補のうち、前記ＡＣＫ／ＮＡＣＫ情報を送信する時間リソースを指示する値を提供する、
請求項２に記載の端末。
【請求項４】
前記下りリンク制御情報によって示された時間リソースにおいて前記ＡＣＫ／ＮＡＣＫ情報を送信するシンボルの情報は、前記上位レイヤ信号に含まれる、
請求項３に記載の端末。
【請求項５】
下りリンク共有チャネルの信号を受信し、
複数の時間リソース候補に含まれる時間リソースにおいて、前記下りリンク共有チャネルの信号に対するＡＣＫ（Acknowledgement）／ＮＡＣＫ（Negative Acknowledgement）情報を、上りリンク制御チャネルを用いて送信する、
無線通信方法。
【請求項６】
下りリンク共有チャネルの信号を送信する送信部と、
複数の時間リソース候補に含まれる時間リソースにおいて、前記下りリンク共有チャネルの信号に対するＡＣＫ（Acknowledgement）／ＮＡＣＫ（Negative Acknowledgement）情報を、上りリンク制御チャネルを用いて受信する受信部と、
を備える基地局。
【手続補正３】
【補正対象書類名】明細書
【補正対象項目名】０００１
【補正方法】変更
【補正の内容】
【０００１】
本発明は、次世代移動通信システムにおける端末、無線通信方法及び基地局に関する。
【手続補正４】
【補正対象書類名】明細書
【補正対象項目名】０００７
【補正方法】変更
【補正の内容】
【０００７】
本発明の一態様は、上りリンクの物理制御チャネルを柔軟に設定することができる端末、無線通信方法及び基地局を提供することを目的の一つとする。
【手続補正５】
【補正対象書類名】明細書
【補正対象項目名】０００８
【補正方法】変更
【補正の内容】
【０００８】
本発明の一態様に係る端末は、下りリンク共有チャネルの信号を受信する受信部と、複数の時間リソース候補に含まれる時間リソースにおいて、前記下りリンク共有チャネルの信号に対するＡＣＫ（Acknowledgement）／ＮＡＣＫ（Negative Acknowledgement）情報を、上りリンク制御チャネルを用いて送信する送信部と、を備える。
【国際調査報告】
2019043800.tif 000013
2019043800.tif 000014